(57)【特許請求の範囲】
【請求項１】
施工部に空けられた下穴に拡開作用によって固定されると共に雌ねじが外向きに開口しているアンカーを施工部から引き抜くための装置であって、
前記アンカーの雌ねじにねじ込まれる中継部材が別体に又は一体に設けられたスライドロッドと、
前記アンカーに取り付けられた前記スライドロッドに対して相対回転不能で相対スライド可能に嵌め込まれるホルダーと、
前記ホルダーに回転自在及びスライド不能に保持された状態で前記スライドロッドと直接に又は間接的に螺合するスラスト回転体とを備えており、
前記スラスト回転体の回転によって前記スライドロッドが前記施工部から離反するように後退させられる、
拡張式アンカーの抜去装置。
【請求項２】
施工部に空けられた下穴に拡開作用によって固定されると共に前記施工部から露出した雄ねじ部を有するアンカーを施工部から引き抜くための装置であって、
前記アンカーに形成された雌ねじ又は前記雄ねじ部にねじ込まれる中継部材が別体に又は一体に設けられたスライドロッドと、
前記アンカーに取り付けられた前記スライドロッドに対して相対回転不能で相対スライド可能に嵌め込まれるホルダーと、
前記ホルダーに回転自在及びスライド不能に保持された状態で前記スライドロッドと直接に又は間接的に螺合するスラスト回転体とを備えており、
前記スラスト回転体の回転によって前記スライドロッドが前記施工部から離反するように後退させられる、
拡張式アンカーの抜去装置。
【請求項３】
前記スライドロッドは、基本的には円形のボルトであって少なくとも一部を断面小判形又はその他の非円形部に形成していると共に、一部が前記ホルダーの外側から突出するように設定されている一方、
前記ホルダーには、前記スライドロッドの非円形部が回転不能でスライド自在に嵌まる係合穴が形成されており、
更に、前記スラスト回転体は、動力ドライバ又は手動式レンチで回転操作される筒状ナットである、
請求項１又は２に記載した拡張式アンカーの抜去装置。
【請求項４】
前記ホルダーは一般成人が掴むことができる大きさであり、内部には中空部が形成されて、前記中空部は窓穴を介して外周面の一部に開口している、
請求項１〜３のうちのいずれかに記載した拡張式アンカーの抜去装置。
【発明の詳細な説明】
【技術分野】
【０００１】
本願発明は、ボール等の拡張部材を備えた拡張式アンカーを施工現場から引き抜く抜去装置に関するものである。
【背景技術】
【０００２】
コンクリートやレンガのような石質系の施工部に部材を固定するために、拡張式のアンカーが使用されている。このアンカーには、ピンを叩き込んでテーパ状のコーンによって拡張部を広げるタイプと、特許文献１に開示されているように、内部に配置されている多数個のボールをインナーボルトで押圧して膨らませるタイプとがあり、後者のタイプは、ハンマーを振り回す必要がないため、作業者の負担を大幅に軽減できる等の利点を有している。
【０００３】
いずれのタイプにおいても、部材を取り外した後に、アンカーを施工部から抜去せねばならない場合がある。そこで、雌ねじを形成してボルトでワークを固定するようになっているアンカーの抜去装置が提案されており、例えば特許文献２，３には、ホルダー（カラー）とこれに螺合したボルトとを有する抜去装置が開示されている。
【０００４】
すなわち、特許文献２，３において、ボルトは頭付きであってホルダーの外側にナットが螺合しており、ボルトをアンカーの雌ねじにねじ込んでから、ボルトを回転不能に保持した状態でナットをスパナで回転操作することにより、ボルトを軸方向に移動させてアンカーを引き抜くようになっている。
【先行技術文献】
【特許文献】
【０００５】
【特許文献１】再公表ＷＯ２０１６／１２１９９３号公報
【特許文献２】実開平７−１４０００号のＣＤ−ＲＯＭ
【特許文献３】特開平７−４８８３４号公報
【発明の概要】
【発明が解決しようとする課題】
【０００６】
特許文献２，３はナットに対して大きなトルクを作用させ得るため、アンカーの拡張子を取り外す等して下穴に対する突っ張りを弱めておくことにより、アンカーを的確に引き抜くことができるが、ナットは手動式のスパナでないと回転操作できず、電動ドライバのような動力ドライバを使用できないため、作業性が悪いと共に作業者の負担も大きいという問題がある。
【０００７】
本願発明はこのような現状を改善すべく成されたものであり、動力ドライバ等を使用してアンカーを容易に引き抜きできる装置を提供せんとするものである。 
【課題を解決するための手段】
【０００８】
コンクリート等に使用される拡張式アンカーには、全体が施工部の下穴に埋め込まれつつ施工部の外側に露出した雌ねじが形成されていて、雌ねじにねじ込んだボルトによってワークが施工面に固定される雌ねじタイプのものと、施工面から突出する雄ねじ部を有して、ワークがナットで固定される雄ねじタイプとがある。
【０００９】
拡張手段としては、雌ねじタイプでは打ち込み式のピンが多用されており、雄ねじタイプでは、特許文献２，３に開示されているような下穴配置方式のテーパピンを使用しているものがある。他方、特許文献１には、雌ねじタイプ及び雄ねじタイプについて、ボール及びインナーボルトを使用して拡張することが開示されている。従って、雄ねじタイプでのアンカーは、アンカーが雌ねじを備えているものと、単なる中空穴を備えているものと、中空穴が存在しないものとがある。
【００１０】
そして、本願発明は様々な構成を含んでおり、その典型を各請求項で特定している。請求項１の発明は雌ねじタイプのアンカーの抜き取りに使用するもので、この装置は、
「前記アンカーの雌ねじにねじ込まれる中継部材が別体に又は一体に設けられたスライドロッドと、
前記アンカーに取り付けられた前記スライドロッドに対して相対回転不能で相対スライド可能に嵌め込まれるホルダーと、
前記ホルダーに回転自在及びスライド不能に保持された状態で前記スライドロッドと直接に又は間接的に螺合するスラスト回転体とを備えており、
前記スラスト回転体の回転によって前記スライドロッドが前記施工部から離反するように後退させられる」
という構成になっている。
【００１１】
他方、請求項２の発明は雄ねじタイプのアンカーの抜き取りに使用するもので、この装置は、
「前記アンカーに形成された雌ねじ又は前記雄ねじ部にねじ込まれる中継部材が別体に又は一体に設けられたスライドロッドと、
前記ホルダーに回転自在及びスライド不能に保持された状態で前記スライドロッドと直接に又は間接的に螺合するスラスト回転体とを備えており、
前記スラスト回転体の回転によって前記スライドロッドが前記施工部から離反するように後退させられる」
という構成になっている。
【００１２】
請求項３の発明は、請求項１又は２において、
「前記スライドロッドは、基本的には円形のボルトであって少なくとも一部を断面小判形又はその他の非円形部に形成していると共に、一部が前記ホルダーの外側から突出するように設定されている一方、
前記ホルダーには、前記スライドロッドの非円形部が回転不能でスライド自在に嵌まる係合穴が形成されており、
更に、前記スラスト回転体は、動力ドライバ又は手動式レンチで回転操作される筒状ナットである」
という構成になっている。
【００１３】
請求項３においては、筒状ナットの締め込みに際しての噛み込みや焼き付きを防止してスムースな回転を許容するため、ホルダーと筒状ナットとの間にスラスト式等のベアリングやリング状スライダーのような回転円滑化部材を介在させるのが好ましい。
【００１４】
請求項４の発明は、請求項１〜３のうちのいずれかにおいて、
「前記ホルダーは一般成人が掴むことができる大きさであり、内部には中空部が形成されて、前記中空部は窓穴を介して外周面の一部に開口している」
という構成になっている。
【００１５】
本願発明において、ホルダーは、ケース、ハウジング、カラーのような文言で特定することも可能である。スライドロッドも同様であり、スライド軸、作動軸、プーラーといった文言で特定することも可能である。
【発明の効果】
【００１６】
本願各発明では、アンカーの抜き取りは、アンカーから拡張部材を抜き取る等して下穴に対するアンカーの突っ張りを解除又は低減させる、中継部材をアンカーに螺合する、中継部材が取り付いたスライドロッドにホルダーを嵌め込む、片手でホルダーを回転不能に掴んだ状態で、他方の手でスラスト回転体を回転操作してスライドロッドを後退させる、という手順で行うことができる。
【００１７】
そして、本願発明では、スラスト回転体は電動ドライバ等の動力ドライバによって回転操作できるため、アンカーの抜き取りを迅速かつ殆ど力を要することなく行える。従って、作業能率を格段に向上できると共に、作業者の負担も著しく軽減できる。
【００１８】
請求項３のように構成すると、スライドロッドとホルダーとが直接にスライド自在で回転不能に嵌合すると共に筒状ナットがスライドロッドに直接螺合するため、部材点数を少なくして構造を簡単化でき、延いてはコストダウンにも貢献できる。
【００１９】
作業者がホルダーを回転不能に保持するには、当該ホルダーにはある程度の大きさが必要であるが、請求項４のようにホルダーに中空部を形成すると、ホルダーをできるだけ軽量化しつつ必要な大きさに設定できる。従って、ユーザーフレンドリーである。
【００２０】
また、ホルダーには窓穴が空いているため、スライドロッドへのホルダーの嵌め込みを正確に行える。特に、請求項３のようにスライドロッドが小判形等の非円形に形成されていると、ホルダーとスライドロッドとを姿勢合わせする必要があるが、ホルダーに窓穴が空いていると、窓穴を介してスライドロッドの姿勢を視認できるため、ホルダーの嵌め込みを迅速に行えて好適である。
【００２１】
本願装置の使用に際しては、インナーボルトや打ち込み式ピンを予め除去して下穴に対するアンカーの突っ張りを解除又は減少させておくのが好適であるが、特許文献１のように、拡張部材としてボールとインナーボルトとを使用すると、インナーボルトをねじ戻す簡単な作業によって下穴に対する拡張部の突っ張り力を大幅に低減できるため、本願発明の拡張式アンカーの抜去装置の真価が強く発揮されるといえる。逆に述べると、本願発明の装置により、抜き取り容易であるというボール拡張式アンカーの利点が確実化される。但し、下穴に対するアンカーの突っ張り力が低い場合などは、拡張部材はそのままにしてアンカーを強引に引き抜くことも可能である。
【００２２】
また、スラスト回転体はスライドロッドの外側に露出しているため、スラスト回転体にドライバビット係合部を設けておくことにより、動力ドライバ等によってスラスト回転体を軽快に回転操作することができる。
【００２３】
なお、雌ねじタイプのアンカーでは、雌ねじにねじ込んだボルトによってワークを施工面に固定することが多いが、吊りボルトやフックボルトのように、ワークの固定機能を持たないボルトの取り付けに使用されることもある。                                
【図面の簡単な説明】
【００２４】
【図１】第１実施形態を示す図で、（Ａ）は分離斜視図、（Ｂ）は（Ａ）のＢ−Ｂ視断面図である。
【図２】抜き取り工程を示す図で、（Ａ）は前工程を示す図、（Ｂ）は引き抜いている状態を示す図である。
【図３】雄ねじタイプアンカーの抜き取り状態を示す図で、（Ａ）は前工程を示す図、（Ｂ）は引き抜いている状態を示す図である。
【発明を実施するための形態】
【００２５】
(1).実施形態の構造
次に、本願発明の実施形態を説明する。以下では、方向を特定するため上下の文言を便宜的に使用するが、この文言は、床部に打ち込まれたアンカーを抜き取ることを想定して使用している（天井に配置されたアンカーの抜き取りに使用する場合は上下が逆になり、壁に配置されたアンカーの抜き取りに使用する場合は、上下は左右に変わる。）。
【００２６】
まず、図１〜２に示す第１実施形態を説明する。本実施形態は、雌ねじを有するアンカー１の抜き取りに使用するもので、図２（Ａ）に一部だけ示すように、アンカー１は、筒状で内部に雌ねじ２が形成された本体３を備えており、本体３には図示しない拡張部が形成されて、拡張部が図示しないボールの群を介して押し広げられる。
【００２７】
そこで、雌ねじ２には、ボールの群を本体３の先端方向に押圧するインナーボルト（虫ねじ）４がねじ込まれている。従って、インナーボルト４を抜き取ると、施工部５の下穴６に対する拡張部の突っ張り力が大幅に低下して、容易に抜き取りできる状態になる。
【００２８】
抜去装置は、アンカー１の雌ねじ２にねじ込み可能なボルト式の中継部材７と、下端面（一端面）に中継部材７がねじ込まれるタップ穴８を空けたスライドロッド９と、スライドロッド９に上から相対回転不能で相対スライド自在に嵌合し得るホルダー１０と、ホルダー１０の上方からスライドロッド９に螺合する筒状ナット１１と、ホルダー１０と筒状ナット１１との間に介在するスラストベアリング１２とを備えている。中継部材７はスライドロッド９とは別体に構成されているが、図１（Ａ）に一点鎖線で示すように、中継部材７をスライドロッド９に一体に形成することも可能である。
【００２９】
スライドロッド９は、基本的には頭がない両切りボルトであり、一対の平坦面９ａを全長に亙って形成することにより、全長に亙って断面小判形の非円形に形成されている。他方、ホルダー１０は、下端（施工部５に重なる一端）にフランジ１０ａを形成した円形であり、内部には下向きに開口した中空部１３が形成されて、外周のうちの一部に窓穴１４が形成されている。
【００３０】
また、ホルダー１０のうち中空部１３よりも上に位置した天板部に、スライドロッド９と相対回転不能で相対スライド自在に嵌まり合う小判形の係合穴１５が空いている。実施形態の窓穴１４は、係合穴１５の長手軸線と平行な方向に開口している。従って、ホルダー１０をスライドロッド９に嵌め込むに際しては、スライドロッド９の雄ねじ部１６を窓穴１４から視認できる。従って、ホルダー１０の姿勢合わせを迅速に行える。なお、窓穴１４は軸心を挟んだ両側に形成してもよい。ホルダー１０は、例えば５０ｍｍ程度の外径であり、一般成人がしっかり掴むことができる程度の外径に設定されている。
【００３１】
本実施形態では、スライドロッド９の外周にその全長に亙って雄ねじ部１６が形成されているが、雄ねじ部１６は、引き抜き作業時にホルダー１０の上方に露出するように形成したら足りる。平坦面９ａも同様であり、ホルダー１０と上下スライドする部位よりも下方は円形のままであってもよい。筒状ナット１１は請求項に記載したスラスト回転体の一例であり、その下端に、スライドロッド９に上から螺合し得るタップ穴１７が開口している。
【００３２】
他方、筒状ナット１１の上端には、ビット係合部として、六角のドライバビット１８が嵌合するビット穴１９を形成している。ドライバビット１８はソケット方式であってもよい。この場合は、筒状ナット１１の上面に、ビット係合部として六角等のボス部を一体に形成したらよい。
【００３３】
(2).抜き取り工程
本実施形態のアンカー１はボルト拡張式であるので、図２（Ａ）に示すように、まず、角形レンチ２０を使用してインナーボルト４を抜き取る。次いで、アンカー１の雌ねじ２に中継部材７を適当な深さまでねじ込み、それから中継部材７にスライドロッド９をねじ込む。スライドロッド９は、施工部５の表面に当たるまでねじ込むのが好ましい。
【００３４】
次いで、施工部５の表面から突出しているスライドロッド９にホルダー１０を被せるようにして嵌め込む。すなわち、ホルダー１０の係合穴１５をスライドロッド９に上から嵌め込み、ホルダー１０を施工部５の表面に載せる。これにより、スライドロッド９とホルダー１０とは、相対的に回転不能で相対的にスライド自在に保持される。
【００３５】
スライドロッド９は、ホルダー１０が嵌合した状態で上部がホルダー１０の上方に露出する長さに設定しており、スライドロッド９の上向き露出部にまずスラストベアリング１２を被嵌し、次いで、片手でホルダー１０を把持した状態で、スライドロッド９の上向き露出部に筒状ナット１１を動力ドライバにねじ込んでいく。すると、スライドロッド９は回転不能に保持されているため、筒状ナット１１がスラストベアリング１２に当たると、筒状ナット１１の回転によってスライドロッド９は上向きに引き上げられ、これによってアンカー１も一緒に上向きに抜かれていく。
【００３６】
この場合、ホルダー１０は人がしっかり掴持できる程度の外径であるため、ホルダー１０を回転不能に保持した状態で筒状ナット１１をスライドロッド９にねじ込むことができる。従って、アンカー１の引き抜きを確実化できる。
【００３７】
なお、上記の説明では、前工程においてインナーボルト４を取り外したが、インナーボルト４を緩めた状態で、雌ねじ２が中継部材７を十分にねじ込みできる深さを持っている場合は、インナーボルト４は、緩めるだけで取り外さずにおくことも可能である。また、アンカー１は、ある程度まで引き上げると手で引き抜きできることもあるので、必ずしも、アンカー１が施工部５から離脱する状態まで筒状ナット１１の回転操作を行うことは必要ない。
【００３８】
なお、アンカー１の長さはまちまちであるが、長さの違いに対する対応手段としては、筒状ナット１１を最も長い長さに応じた長さに設定しておくことにより、１本の筒状ナット１１で全種類のアンカー１に対応できるようにしておいてもよいし、長さが相違する筒状ナット１１を複数種類用意しておいてもよい。
【００３９】
アンカー１は、その外径及び雌ねじ２の径が相違するものが複数種類あり得るが、この場合は、中継部材７は雌ねじ２の径に対応して複数種類用意しておく必要がある。スライドロッド９の一端と他端とに径が異なるタップ穴８を形成しておくことにより、１本のスライドロッド９を２種類の中継部材７に対応せしめることも可能である。或いは、中継部材７について、アンカー１の雌ねじ２の種類に対応した複数種類を製造して、各中継部材７のうちスライドロッド９に螺合する部位は同径に設定しておくことにより、スライドロッド９、ホルダー１０、筒状ナット１１を１種類で足りるようにすることも可能である。
【００４０】
図１（Ａ）に一点鎖線で示すように、スラスト回転体として高ナット（ロングナット）１１ａを使用して、これをソケットレンチ１８ａで回転操作することも可能である。高ナット１１ａは長さが異なるものが市販されているため、適度の長さのものを簡単に入手できる。他方、図２（Ｂ）に点線で示すように、スラスト回転体として六角ナット等の角形ナット１１ｂを使用して、この角形ナット１１ｂを長い長さのソケットレンチ（図示せず）で回転操作することも可能である。
【００４１】
(3).雄ねじタイプのアンカーへの適用
図３では、雄ねじタイプのアンカー１の抜き取りに使用した状態を示している。この例では、アンカー１は、施工部５の表面から露出した雄ねじ部２１を備えていると共に、インナーボルト４がねじ込まれる雌ねじ２が形成されている。従って、アンカー１は、インナーボルト４によってボールを押圧して本体３の拡張部を拡径するタイプである。
【００４２】
このように、雄ねじタイプであっても雌ねじ２が形成されているアンカー１の場合は、既述の装置をそのまま使用できるが、スライドロッド９は、雄ねじ部２１の露出寸法だけ施工部５の表面から離れるため、図１，２のスライドロッド９をそのまま使用するとアンカー１の引き上げストロークが短くなる。従って、雄ねじタイプのアンカー１に使用する場合は、雌ねじタイプのアンカー１よりも短いスライドロッド９を使用したらよい。もとより、筒状ナット１１の長さが十分にある場合は、雌ねじタイプのアンカーと雄ねじタイプのアンカー１との両方に同じ長さのスライドロッド９を使用できる。
【００４３】
雄ねじタイプのアンカー１であって雌ねじ２が形成されていない場合は、図３（Ｂ）に一点鎖線で示すように、中継部材７を、アンカー１の雄ねじ部２１に螺合するナット部２２と、スライドロッド９のタップ穴８に螺合するボルト部２３とを有する形態（異径の形態）に形成することで対応できる。或いは、スライドロッド９に、アンカー１の雄ねじ部２１に螺合するナット部２２を一体に形成することも可能である。
【００４４】
以上、本願発明の実施形態を説明したが、本願発明は他にも様々に展開できる。例えば、ホルダーは、四角形や六角形等の角形であってもよい。また、スライドロッド９とホルダー１０との相対回転防止手段としては、スライドロッド９にキー溝を形成する一方、ホルダー１０の係合穴に突条を形成するなど、様々な組み合わせを採用できる。
【００４５】
また、スライドロッドは、外周に雄ねじが形成されたボルトタイプである必要はない。例えば、スライドロッドを六角形等の断面角形に形成する一方、ホルダーにはスライドロッドがスライド自在で相対回転不能に嵌まる角形の係合穴を形成して、スライドロッドの上端を係合穴の内部に位置させて、頭付きボルトを、スラストベアリングを介してスライドロッドに上からねじ込むことにより、頭付きボルトの回転操作によってスライドロッドを引き上げる（後退させる）ことができる。この場合は、頭付きボルトが請求項に記載したスラスト回転体になる。
【００４６】
更に、スラスト回転体の例である筒状ナットや頭付きボルトは、ソケットレンチやメガネレンチなどの長い柄を有するレンチで回転させることも可能である。この場合は、筒状ナットや頭付きボルトのようなスラスト回転体に大きなトルクを掛けることができる。ホルダーに回り止めのハンドルを取り付けることも可能である。回転円滑化手段としては、摩擦係数が小さい硬質材料からなるリング状スライダーなども使用可能である。
【産業上の利用可能性】
【００４７】
本願発明は、拡張式アンカーの抜去装置に具体化できる。従って、産業上利用できる。
【符号の説明】
【００４８】
１  アンカー
２  雌ねじ
３  アンカー本体
４  拡張部材の一部を構成するインナーボルト
５  施工部
６  下穴
７  中継部材
８  タップ穴
９  スライドロッド
１０  ホルダー
１１  スラスト回転体の一例としての筒状ナット
１２  回転円滑化部材の一例としてのベアリング
１３  中空部
１４  窓穴
１５  係合穴
１６  雄ねじ部
１７  タップ穴
１８  ドライバビット
２１  雄ねじ部
【要約】
【課題】手動若しくは動力ドライバを使用して拡張式アンカーを容易に抜き取りできる装置を提供する。
【解決手段】抜去装置は、アンカー１の雌ねじ２にねじ込まれる中継部材７が別体に又は一体に設けられたスライドロッド９と、スライドロッド９に対して相対回転不能で相対スライド可能に嵌め込まれるホルダー１０と、ホルダー１０に回転自在及びスライド不能に保持された状態でスライドロッド９の露出部に螺合する筒状ナット１１（スラスト回転体）とを備えている。動力ドライバによって筒状ナット１１を回転させると、スライドロッド９が後退してアンカー１が抜き取られる。アンカー１がボール拡張式である場合、ボールを押圧するインナーボルト４を前工程で緩めておくか取り外しておくことにより、特に抜き取りを容易に行える。
【選択図】図２【図１】
0006967307.tif 000002
【図２】
0006967307.tif 000003
【図３】
0006967307.tif 000004